(57)【特許請求の範囲】
【請求項１】
画像を表示する表示部と、
前記表示部に表示させる画像を生成する処理部と、
地図画像を前記処理部に提供する地図提供部と、
機能項目の種類に応じた表示画像を前記処理部に提供する画像提供部と、
ユーザの入力を受け付ける受付部と、を備え、
前記画像提供部は、目的地を設定するための目的地設定画像を前記処理部に提供する目的地設定部を含み、
前記処理部は、前記受付部がいずれかの前記機能項目を表示させる入力を受け付けた場合、前記表示部に前記地図画像とユーザの入力に応じた前記表示画像とを表示させ、前記受付部が目的地を設定する前記機能項目を表示させる入力を受け付けた場合には、前記表示部に前記目的地設定画像を前記表示画像として表示させつつ前記地図画像をぼかして表示させ、前記受付部が目的地を設定する前記機能項目とは別の前記機能項目を表示させる入力を受け付けた場合には、前記表示部に前記表示画像を表示させつつ前記地図画像をぼかさずに表示させることを特徴する画像表示装置。
【発明の詳細な説明】
【技術分野】
【０００１】
本発明は、地図画像を表示可能な画像表示装置に関する。
【背景技術】
【０００２】
自車両の位置を示す地図画像を表示可能な画像表示装置が車両に設けられる。特許文献１には、車載された表示部に表示する情報を生成する表示情報生成装置が開示される。この表示情報生成装置は、自車両の位置および道路を表示し、車速が高速になると、自車両が走行中の道路以外の周辺の道路をぼかして表示する情報を生成する。また、表示情報生成装置は、電話機能を有し、電話が着信した際に周辺の道路をぼかして表示する情報を生成する。
【先行技術文献】
【特許文献】
【０００３】
【特許文献１】特開２０１４−２０３３１８号公報
【発明の概要】
【発明が解決しようとする課題】
【０００４】
ところで、ユーザが地図表示機能以外の他の機能を利用しようとする場合、画像表示装置が他の機能の表示画像を表示しつつ地図画像も表示することで、ユーザは他の機能と合わせて地図表示機能を利用できる。しかしながら、他の機能が目的地を設定する機能である場合、ユーザは、目的地を設定する操作によって地図画像情報を更新させる意図があり、表示されている現在の地図画像情報を利用しない可能性があるため、地図画像の表示によって操作の集中を妨げるおそれがあり、他の機能の表示画像を地図画像より相対的に見やすくすることが好ましい場合がある。
【０００５】
本発明はこうした状況に鑑みてなされたものであり、その目的は、画像表示装置が地図画像と他の機能の表示画像を同時に表示しつつ、他の機能の種類に応じて地図画像の視認性を適切に設定する技術を提供することにある。
【課題を解決するための手段】
【０００６】
上記課題を解決するために、本発明のある態様の画像表示装置は、画像を表示する表示部と、表示部に表示させる画像を生成する処理部と、地図画像を処理部に提供する地図提供部と、機能項目の種類に応じた表示画像を処理部に提供する画像提供部と、ユーザの入力を受け付ける受付部と、を備える。画像提供部は、目的地を設定するための目的地設定画像を処理部に提供する目的地設定部を含む。処理部は、受付部がいずれかの機能項目を表示させる入力を受け付けた場合、表示部に地図画像とユーザの入力に応じた表示画像とを表示させ、受付部が目的地を設定する機能項目を表示させる入力を受け付けた場合には、表示部に目的地設定画像を表示画像として表示させつつ地図画像をぼかして表示させ、受付部が目的地を設定する機能項目とは別の機能項目を表示させる入力を受け付けた場合には、表示部に表示画像を表示させつつ地図画像をぼかさずに表示させることを特徴する。
【０００７】
この態様によると、処理部が地図画像と表示画像とを表示させることで、ユーザの入力に応じた機能項目を表示しつつ、地図表示機能の継続をユーザに認識させることができる。また、処理部がユーザの入力に応じて目的を設定する機能項目を表示させる場合には、処理部がぼかした地図画像を表示させることで、ユーザは相対的に鮮明な目的地設定画像を認識しやすくなる。一方で、処理部がユーザの入力に応じた別の機能項目を表示させる場合には、処理部がぼかされていない地図画像を表示させることで、ユーザは継続して地図表示機能を継続して利用しつつ、表示画像として表示される他の機能も利用できる。このように処理部が地図画像へのぼかし処理の有無を機能項目の種類に応じて替えることで、表示画像の視認性や、ユーザビリティを向上できる。
【発明の効果】
【０００８】
画像表示装置が地図画像と他の機能の表示画像を同時に表示しつつ、他の機能の種類に応じて地図画像の視認性を適切に設定する技術を提供できる。
【図面の簡単な説明】
【０００９】
【図１】画像表示装置の機能構成について説明するための図である。
【図２】図２（ａ）は、地図画像を表示する表示部を示し、図２（ｂ）は、メニューアイコンを表示する表示部を示す図である。
【図３】図３（ａ）は、目的地設定画像および地図画像を表示する表示部を示し、図３（ｂ）は、車両状態情報画像および地図画像を表示する表示部を示す図である。
【発明を実施するための形態】
【００１０】
図１は、画像表示装置１０の機能構成について説明するための図である。画像表示装置１０は車両に搭載され、表示部１８は例えば運転席と助手席の間に位置するダッシュボードに設けられる。画像表示装置１０は、ナビゲーション機能として自車両の位置を示す地図画像を表示し、またユーザの入力を受け付けて車載機能を操作可能にする。
【００１１】
画像表示装置１０は、制御部１２、入力部１４および表示部１８を備える。制御部１２は、ハードウェア的には、コンピュータのＣＰＵやメモリをはじめとする素子や機械装置で実現でき、ソフトウェア的にはコンピュータプログラム等によって実現される。
【００１２】
表示部１８は、制御部１２から送出された画像を表示する。表示部１８は、ユーザの手指の接触を検知するタッチパネルディスプレイである。入力部１４は、ユーザ操作を入力する手段であって、表示部１８に表示されるアイコン、または機械的な操作スイッチである。
【００１３】
制御部１２は、位置取得部２０、受付部２２、画像提供部２１、地図提供部２４、項目提供部２８および処理部３２を備える。
【００１４】
位置取得部２０は、ＧＰＳ（Global Positioning System）を用いて自車両の位置を取得する。位置取得部２０は、複数の人工衛星からの時刻情報にもとづいて自車両の位置を算出してよい。
【００１５】
地図提供部２４は、表示部１８に表示する地図画像を処理部３２に提供する。地図提供部２４は、位置取得部２０から自車両の位置情報を受け取って、地図画像に自車両の位置を示す記号を加え、自車両の位置を示す地図画像を処理部３２に提供する。
【００１６】
受付部２２は、入力部１４からユーザの入力を受け付ける。項目提供部２８は、受付部２２がメニューアイコンを表示させる入力を受け付けた場合に、メニューアイコンを処理部３２に提供する。メニューアイコンは、ユーザが機能選択をするために操作可能なオブジェクトであり、表示部１８の所定の領域に部分的に表示される。メニューアイコンは、機能種別に応じた複数のアイコンを表示し、例えば目的地を設定する画面に移行するためのアイコン、車両状態情報を表示するためのアイコン、ネットワークに接続して所定のサービスを受けるためのアイコンなどを表示する。ユーザがいずれかのメニューアイコンを手指で接触すると、ユーザの入力に応じた項目の機能が実行される。このように、ユーザは、メニューアイコンから所望の機能を選択して利用できる。
【００１７】
画像提供部２１は、所定の機能項目の種類に応じた表示画像を処理部３２に提供する。画像提供部２１は、車両状態提供部３０、目的地設定部２６および通信部３１などを有する。例えば、ユーザが目的地を設定するメニューアイコンを接触すると、目的地設定部２６は、目的地を設定するための目的地設定画像を処理部３２に提供する。また、ユーザが車両状態情報を表示するメニューアイコンを接触すると、車両状態提供部３０は、車両状態情報画像を処理部３２に提供する。このように、画像提供部２１は、ユーザの入力に応じた機能を表示する表示画像を処理部３２に提供できる。
【００１８】
目的地設定部２６は、ユーザの入力にもとづいて目的地を設定し、設定した目的地を地図提供部２４に送出する。地図提供部２４は、目的地設定部２６から設定された目的地を受け取ると、目的地までの経路を案内する情報を地図画像に加える。例えば、地図提供部２４は、地図画像において、目的地までの経路を他の道路より大きくして色を異ならせて、目的地までの経路と他の道路とを区別する処理を施す。目的設定機能では、ユーザが目的地の住所や電話番号を入力するなどの複雑な操作入力を要求される。
【００１９】
車両状態提供部３０は、車両状態検知センサ１６から受け取った車両状態情報を表示する車両状態情報画像を処理部３２に提供する。また、車両状態提供部３０は、車載ＥＣＵから車両状態情報を受け取ってよい。車両状態情報は、車速、走行距離、車載電池の充電量、車両周辺の撮像画像および車室内温度などを含む。
【００２０】
通信部３１は、インターネットなどのネットワークに接続し、ネットワークを利用するためのインターフェース用画像を処理部３２に提供する。通信部３１は、携帯端末の通信機能によりネットワークに接続してよく、専用の通信機器によりネットワークに接続してよい。ユーザは、通信部３１の機能を用いて、例えば地図情報を更新したり、道路渋滞情報を取得できる。
【００２１】
処理部３２は、表示部１８に表示させる画像を生成する処理を行い、生成した画像を表示部１８に送出する。処理部３２は、地図提供部２４から受け取った自車両の位置を示す地図画像を表示し、自車両の周辺の地図を表示する。処理部３２は、受付部２２がメニューアイコンを表示させる入力を受け付けた場合に、項目提供部２８から提供されたメニューアイコンを表示させる。
【００２２】
処理部３２は、受付部２２がいずれかの機能項目を表示させる入力を受け付けた場合、すなわちユーザがいずれかのメニューアイコンを接触した場合、表示部１８に地図画像とユーザの入力に応じた表示画像とを表示させ、目的地を設定する機能項目の表示画像を表示させる場合には、地図画像をぼかして表示させる。表示部１８が地図画像とユーザの入力に応じた表示画像を表示することで、地図表示機能を継続させつつ、他の機能を表示する表示画像を割り込ませて表示できる。また、地図画像がぼかされることで、ユーザは相対的に鮮明な表示画像を認識しやすくなる。地図画像がぼかされない場合は、ユーザは継続して地図表示機能を継続して利用できる。
【００２３】
具体的に、処理部３２は、受付部２２が目的地を設定する機能項目を表示させる入力を受け付けた場合、表示部１８に目的地設定画像とぼかした地図画像を表示し、受付部２２が他の機能項目、例えば車両状態情報を表示する機能項目を表示させる入力を受け付けた場合、表示部１８に車両状態情報とぼかしていない地図画像を表示する。処理部３２は、目的地設定画像を表示させる場合以外は、地図画像をぼかさずに表示画像とともに表示させる。これにより、ユーザが目的地を設定する場合に、目的値設定画像の見やすさを向上でき、表示部１８が車両状態情報を表示する場合に、地図表示機能と車両状態表示機能の両方を利用できる。このように、目的値設定画像が表示された場合には、ユーザはその設定操作によって地図画像情報を更新させたい意図を有するため、地図画像をぼかして割り込ませた目的地設定画像の視認性を向上し、車両状態表示機能など、地図画像情報を更新させたいというユーザの意図がない場合には、地図画像をぼかさずにユーザが両方の機能を利用することができる。
【００２４】
地図画像のぼかし処理について説明する。処理部３２は、地図画像における隣合う画素の画素値を平均化することでぼかし処理を行う。また、変形例のぼかし処理では、処理部３２は、５×５の画素値、つまり縦横で５個の範囲にある画素の集合をそれぞれ平均化してよく、縦横で１０×１０の画素の集合をそれぞれ平均化してよい。また、変形例のぼかし処理では、処理部３２は、隣合う画素の画素値を合算して所定の割合で配分してよい。また、変形例のぼかし処理では、処理部３２は、隣合う画素の画素値の差が所定の閾値以上である場合、例えばＲＧＢ値のいずれかの差が所定の閾値以上である場合に、その隣合う画素値を平均化してもよい。
【００２５】
図２（ａ）は、地図画像４２を表示する表示部１８を示し、図２（ｂ）は、メニューアイコン４６を表示する表示部１８を示す。表示部１８は、縦方向寸法が横方向寸法より長くなるように形成される。
【００２６】
図２（ａ）に示す地図画像４２は、自車両の周辺の地図である。自車両記号４４は、表示部１８の中央付近に示され、自車両の位置を示す。メニュー表示アイコン４０は、表示部１８の左下に位置する。ユーザがメニュー表示アイコン４０を手指で接触する操作を実行すると、受付部２２がメニューアイコンを表示させる入力を受け付けて、メニューアイコンが表示される。なお、画像表示装置１０には、機械的なメニュー表示スイッチが設けられてよい。
【００２７】
図２（ｂ）は、メニューアイコンを表示した表示部１８を示す。メニュー表示アイコン４０の操作により受付部２２がメニューアイコンを表示させる入力を受け付けると、項目提供部２８は、メニューアイコンを処理部３２に提供する。処理部３２は、メニューアイコンの画像を表示部１８に送出し、表示部１８が処理部３２から受け取った画像を表示する。
【００２８】
表示部１８は、メニューアイコン４６ａ、４６ｂ、４６ｃ、４６ｄ、４６ｅ（これらを区別しない場合「メニューアイコン４６」という）を表示している。メニューアイコン４６ａは、目的地を設定する画面を表示するためのアイコンである。メニューアイコン４６ｂは、車両状態情報を表示するためのアイコンである。メニューアイコン４６ｃは、ネットワークに接続して最新の道路情報を取得するためのアイコンである。メニューアイコン４６ｄは、画像表示装置１０の機能設定をするためのアイコンである。メニューアイコン４６ｅは、元の地図画像４２の表示に戻るためのアイコンである。ユーザがいずれかのメニューアイコン４６を接触する操作をすると、メニューアイコン４６の種類に応じた機能が実行される。
【００２９】
ユーザがメニューアイコン４６ａを接触する操作をした場合と、メニューアイコン４６ｂを接触する操作をした場合に表示部１８が表示する画像について新たな図面を参照して説明する。
【００３０】
図３（ａ）は、目的地設定画像４８および地図画像４２を表示する表示部１８を示し、図３（ｂ）は、車両状態情報画像５０および地図画像４２を表示する表示部１８を示す。
【００３１】
図３（ａ）では、ユーザが図２（ｂ）に示すメニューアイコン４６ａを接触する操作をし、受付部２２が目的地を設定する機能項目を表示させる入力を受け付け、表示部１８が目的地設定画像４８とぼかされた地図画像４２を上下に分けて表示している。処理部３２は、目的地設定部２６から割り込み画像として目的地設定画像４８を受け取り、地図画像４２および目的地設定画像４８を合成する。
【００３２】
処理部３２は、地図画像４２および目的地設定画像４８を表示部１８の表示面積を２分割するように、ほぼ同じ大きさに分けて表示する。処理部３２は、図２（ａ）で示していた地図画像４２を切り取って合成してよく、縮小して表示して合成してよい。ユーザは、目的地設定画像４８に表示される設定アイコン５４を操作して、目的地を設定する。目的地の設定が完了すると、経路案内情報を付加した地図画像４２が表示される。
【００３３】
処理部３２が地図画像４２をぼかして表示することで、ユーザは相対的に鮮明な目的地設定画像４８を認識しやすく、設定画像の集中できる。なお、ユーザが戻るアイコン５２を操作すると、目的地設定画像４８の表示が終了し、図２（ａ）に示すように処理部３２は表示部１８に地図画像４２を表示させる。
【００３４】
地図画像４２は、ぼかされて表示されている場合でも、車両が走行中であって自車両の位置が移動した場合には、自車両の位置に応じて更新され、スクロールされる。自車両の位置が移動した場合、自車両記号４４は表示部１８の中央付近に表示されたままで、表示部１８での地図画像４２がスクロールされる。これにより、画像表示装置１０は、地図表示機能が継続されていることをユーザに示唆することができる。
【００３５】
図３（ｂ）では、ユーザが図２（ｂ）に示すメニューアイコン４６ｂを接触する操作をし、受付部２２が車両状態情報を表示する機能項目を表示させる入力を受け付け、表示部１８にぼかしていない地図画像４２と車両状態情報画像５０とを上下に分けて表示する。車両状態情報画像５０には、車速や走行時間などの車両状態情報が表示されている。
【００３６】
処理部３２は、車両状態提供部３０から割り込み画像として車両状態情報画像５０を受け取り、地図画像４２および車両状態情報画像５０を合成する。自車両記号４４は、地図画像４２の中央付近に表示される。処理部３２が地図画像４２をぼかさないことで、ユーザは地図表示機能と車両状態表示機能の両方を利用できる。
【００３７】
以上のように、表示部１８に地図表示機能と別の機能を分割して表示する際に、処理部３２が別の機能の種類に応じて地図画像にぼかし処理を行うことで、ユーザビリティを向上できる。また、処理部３２が目的地設定機能以外の機能を分割表示させる場合に、ぼかし処理を施さないことで、ユーザが必要に応じて選択してそれぞれの機能を見ることができる。
【００３８】
以上、実施例をもとに本発明を説明した。実施例はあくまでも例示であり、各構成要素や各処理プロセスの組合せにいろいろな変形例が可能なこと、またそうした変形例も本発明の範囲にあることは当業者に理解されるところである。
【００３９】
実施例では、表示部１８が車両に設けられる態様を示したが、この態様に限られず、例えば表示部１８は携帯端末のタッチパネルディスプレイであってよい。
【００４０】
実施例では、目的地設定画像４８を表示部１８に分割して表示する態様を示したが、この態様に限られず、目的地設定画像４８を表示部１８に全体表示することも可能であってよい。例えば、表示切り替えスイッチが設けられており、ユーザが表示切り替えスイッチを操作すれば、目的地設定画像４８の分割表示および全体表示が切り替えられてよい。また、車両状態情報画像５０や通信部３１のインターフェース用画像も表示部１８に全体表示できてよい。
【符号の説明】
【００４１】
１０  画像表示装置、  １２  制御部、  １４  入力部、  １６  車両状態検知センサ、  １８  表示部、  ２０  位置取得部、  ２１  画像提供部、  ２２  受付部、  ２４  地図提供部、  ２６  目的地設定部、  ２８  項目提供部、  ３０  車両状態提供部、  ３１  通信部、  ３２  処理部、  ４２  地図画像、  ４８  目的地設定画像、  ５０  車両状態情報画像、  ５２  戻るアイコン、  ５４  設定アイコン。
【図１】
0006350571.tif 000002
【図２】
0006350571.tif 000003
【図３】
0006350571.tif 000004